(57)【要約】【課題】  プッシュスキャンモードによる原稿の読み取りに際して、出力先端末への画像データの出力が不可である場合に、その異常をユーザに確実に把握させるようにした画像読取装置およびその制御方法を提供する。【解決手段】  ユーザにより、スキャン対象の原稿がセットされ、スタートボタンが押下されると、スキャナ１０は、予め設定された認証情報を用いて出力先端末となるコンピュータ２０へ認証処理を行う。認証が正常に行われコンピュータ２０へのログインが成功すると、スキャナ１０は次に、予め設定された保存パスがコンピュータ２０内に存在するか否かを確認し、当該保存パスが有効であるか否かを判断する。ここで、保存パスが有効であると判断すると、原稿の読み取り（読取動作）を開始し、この読み取りが完了したところで、読み取った画像データをコンピュータ２０へ転送する。コンピュータ２０では、これを受信して保存する。【選択図】  図５
2007150567.tif 000002
【特許請求の範囲】
【請求項１】
原稿から読み取った画像データをネットワークを介して出力先端末へ出力するプッシュスキャンモードで原稿の読み取り処理を行う画像読取装置において、
前記出力先端末への画像データの出力可否を判断する判断手段と、
前記判断手段により出力が不可であると判断された場合に、原稿の読取動作を中止する画像読取手段と
を具備することを特徴とする画像読取装置。
【請求項２】
前記判断手段は、
予め設定された認証情報を用いて認証処理を行って前記出力先端末へログインする認証処理手段
を具備し、
前記認証処理手段による認証処理が正常に行われた場合に、当該出力先端末への画像データの出力が可であると判断する
ことを特徴とする請求項１記載の画像読取装置。
【請求項３】
前記判断手段は、
前記出力先端末へアクセスし、予め設定された保存パスへの出力が可能であるか否かを判断するパス確認手段
を具備し、
前記パス確認手段により前記保存パスへの出力が可能であると判断された場合に、当該出力先端末への画像データの出力が可であると判断する
ことを特徴とする請求項１または２記載の画像読取装置。
【請求項４】
前記判断手段は、
原稿の読取開始指示に対応して前記出力先端末への画像データの出力可否を判断する
ことを特徴とする請求項１乃至３いずれかに記載の画像読取装置。
【請求項５】
前記判断手段により前記出力先端末への画像データの出力が不可であると判断された場合に、その旨の異常を報知する異常報知処理手段
を更に具備することを特徴とする請求項１記載の画像読取装置。
【請求項６】
原稿から読み取った画像データをネットワークを介した出力先端末へ出力するプッシュスキャンモードで原稿の読み取り処理を行う画像読取装置の制御方法において、
前記出力先端末への画像データの出力可否を判断手段で判断し、
前記判断手段により出力が不可であると判断された場合に、画像読取手段による原稿の読取動作を中止する
ことを特徴とする画像読取装置の制御方法。
【発明の詳細な説明】
【技術分野】
【０００１】
本発明は、原稿から読み取った画像データをネットワークを介して出力先端末へ出力するプッシュスキャンモードで原稿の読み取り処理を行う画像読取装置およびその制御方法に係わり、詳しくは、出力先端末への画像データの出力が不可である場合には、原稿読取動作を中止させるようにした画像読取装置およびその制御方法に関する。
【背景技術】
【０００２】
一般に、オフィス（企業、官公庁）、学校等においては、スキャナ（画像読取装置）等を複数のユーザで共用して利用するために、ネットワークシステムが構築されている。
【０００３】
このネットワークに接続されて動作するスキャナは、ネットワークスキャナなどと称され、同じくネットワークに接続された複数のコンピュータ等からの制御によって原稿から画像データの読み取りを行う。
【０００４】
ところで、この種のネットワークスキャナにおいて、原稿の読み取りを行う場合、その動作モードには、プルスキャンモードと、プッシュスキャンモードとがあり、プルスキャンモードでは、前述したようにコンピュータからの操作により、スキャナを制御して原稿の読み取りを行うことになるが、プッシュスキャンモードでは、スキャナ上の操作パネルからスキャナを操作して原稿の読み取りを行うことになる。
【０００５】
すなわち、プルスキャンモードでは、コンピュータ側からの制御によりスキャナが動作するのに対して、プッシュスキャンモードでは、スキャナ本体からの制御により動作することになる。
【０００６】
この後者に当たるプッシュスキャンモードで原稿の読み取りを行う場合には、読み取った画像データの出力先（例えば、ネットワーク上のコンピュータ等）を予め登録しておく必要があり、スキャナはこの登録された出力先に画像データを出力することになる。
【０００７】
例えば、出力先がコンピュータであれば、当該コンピュータ上の記憶装置に読み取られた画像データが出力され保存されることになるが、出力先がプリンタであるならば、プリンタでその読み取られた画像データに基づいた印刷が行われることになる。なお、ハードディスク等の記憶装置を内部に備えたスキャナであれば、出力先を自装置内の記憶装置としてもよいが、通常、ネットワークスキャナにおいてはネットワーク上のコンピュータやプリンタ等を出力先として設定するのが一般的である。
【０００８】
また従来、このプッシュスキャンモード時のスキャナの制御に関する技術として、特許文献１に記載されたものが知られている。この特許文献１では、原稿から読み取った画像データの出力先となるコンピュータ等をネットワーク上から検索し、その相手先のリストを表示するとともに、そこから選択された相手先に画像データを転送するという技術について言及されている。
【特許文献１】特開平１１−１２７２９８号
【発明の開示】
【発明が解決しようとする課題】
【０００９】
しかしながら、上記特許文献１に開示された技術においては、特別なサーバ機能がなくても、読み取った画像データの出力先となるコンピュータやプリンタを検索することができるが、実際にその出力先端末に対して問題なく画像データが送れるかどうかは定かではない。
【００１０】
具体的に言うと、この特許文献１の技術では、画像データのデータ形式に応じて、画像データの受信が可能な端末を検索しているだけなので、その出力先となる端末に実際にログインして画像データが送れるのかまでは、チェックしていなかった。
【００１１】
従来、スキャナでは、読み取った画像データ全てを蓄積し、認証し、データ転送を行うといった順番で処理を行っていた、これは、転送先のコンピュータ側の状況に依存せずに読み取りを完了できるという利点はあるが、一方で、不正なログイン名／パスワード、およびコンピュータのダウン等の理由により認証が失敗した場合には、その異常が伝えられるのが原稿の読み取り処理完了後となっていた。
【００１２】
そのため、異常が発生したにも拘わらず、ジョブが正常に終了したものとユーザが勘違いし易く、誤解を抱かせることがあった。特に、自動給紙フィーダ(ADF:Auto Documennt Feeder)を有するスキャナにおいて、転送先の事情に拘わらず連続してスキャンした場合には、自動給紙フィーダが動作することで、ユーザが原稿の読取動作を視覚的に捉えてしまうため、このような誤解をより一層抱かせてしまっていた。
【００１３】
そこで、本発明は上記問題点に鑑みてなされたものであり、プッシュスキャンモードによる原稿の読み取りに際して、出力先端末への画像データの出力が不可である場合に、その異常をユーザに確実に把握させるようにした画像読取装置およびその制御方法を提供することを目的とする。
【課題を解決するための手段】
【００１４】
上記目的を達成するため、請求項１の発明は、原稿から読み取った画像データをネットワークを介して出力先端末へ出力するプッシュスキャンモードで原稿の読み取り処理を行う画像読取装置において、前記出力先端末への画像データの出力可否を判断する判断手段と、前記判断手段により出力が不可であると判断された場合に、原稿の読取動作を中止する画像読取手段とを具備することを特徴とする。
【００１５】
また、請求項２の発明は、請求項１の発明において、前記判断手段は、予め設定された認証情報を用いて認証処理を行って前記出力先端末へログインする認証処理手段を具備し、前記認証処理手段による認証処理が正常に行われた場合に、当該出力先端末への画像データの出力が可であると判断することを特徴とする。
【００１６】
また、請求項３の発明は、請求項１または２の発明において、前記判断手段は、前記出力先端末へアクセスし、予め設定された保存パスへの出力が可能であるか否かを判断するパス確認手段を具備し、前記パス確認手段により前記保存パスへの出力が可能であると判断された場合に、当該出力先端末への画像データの出力が可であると判断することを特徴とする。
【００１７】
また、請求項４の発明は、請求項１乃至３の発明において、前記判断手段は、原稿の読取開始指示に対応して前記出力先端末への画像データの出力可否を判断することを特徴とする。
【００１８】
また、請求項５の発明は、請求項１の発明において、前記判断手段により前記出力先端末への画像データの出力が不可であると判断された場合に、その旨の異常を報知する異常報知処理手段を更に具備することを特徴とする。
【００１９】
また、請求項６の発明は、原稿から読み取った画像データをネットワークを介した出力先端末へ出力するプッシュスキャンモードで原稿の読み取り処理を行う画像読取装置の制御方法において、前記出力先端末への画像データの出力可否を判断手段で判断し、前記判断手段により出力が不可であると判断された場合に、画像読取手段による原稿の読取動作を中止することを特徴とする。
【発明の効果】
【００２０】
本発明によれば、原稿から読み取った画像データをネットワークを介して出力先端末へ出力するプッシュスキャンモードによる原稿の読み取りに際して、出力先端末への画像データの出力可否を判断し、該判断により出力が不可であると判断された場合に、原稿の読取動作を中止するように構成したので、原稿の読取動作が中止することでユーザが異常に気付き易くなり、出力先端末への画像データの出力が不可である場合の異常をユーザに確実に把握させることができる。
【００２１】
これにより、従来、認証等の失敗による異常が発生した場合には、その異常が伝えられるのが原稿の読み取り処理完了後であったために、ジョブが正常に終了したものとユーザが勘違いし易く、誤解を抱かせていたが、これを解消することができる。
【発明を実施するための最良の形態】
【００２２】
以下、この発明に係わる画像読取装置およびその制御方法の実施例について添付図面を参照して詳細に説明する。
【実施例】
【００２３】
図１は、本発明に係わる画像読取装置を配して構成されたネットワークシステムの全体構成の一例を示す図である。なお、本実施例においては、本発明に係わる画像読取装置をスキャナ１０に適用した場合を示す。
【００２４】
このネットワークシステムは、原稿から画像データの読み取りを行うスキャナ１０と、スキャナ１０で読み取られた画像データを受信して、これを保存するコンピュータ２０とを具備して構成され、このスキャナ１０とコンピュータ２０とは、ＬＡＮ（Local Area Network）等のネットワーク４０を介して相互通信可能に接続される。また、このネットワーク４０上には、プリンタや、ファックス等のネットワークに接続され動作する各種ネットワーク装置３０が適宜設けられる。
【００２５】
ここで、コンピュータ２０の内部には、各種データを記憶するハードディスク等で構成された記憶部２１が設けられ、この記憶部２１では主に、スキャナ１０で読み取られた画像データが蓄積される。すなわち、このコンピュータ２０は、スキャナ１０で読み取られた画像データを記憶するためのデータストレージとしての機能を果たすことになる。
【００２６】
スキャナ１０は、プラテンガラス上に載置、あるいはプラテンガラス上を搬送される原稿からスキャン動作によって図形や写真または文字などを読み取って、デジタルデータ（画像データ）に変換する。
【００２７】
スキャナ１０は、コンピュータ側からの制御により動作するプルスキャンモードと、スキャナ本体からの制御により動作するプッシュスキャンモードとを有し、いずれかの動作モードで原稿の読み取りを実行することになるが、本実施例においては、スキャナ１０は、プッシュスキャンモードで動作するものとし、さらに原稿から読み取った画像データの出力先には、コンピュータ２０が設定されているものとして説明する。
【００２８】
この画像データの出力先の設定は、例えば、スキャナ１０本体に設けられた操作パネル（表示部１５、操作部１６）から行うことができる。
【００２９】
ここで、図２を用いて、出力先の設定方法について説明する。ユーザは、スキャナ１０の初期設定としてこの図２に示す出力先設定画面上から出力先情報を入力設定する。具体的には、出力先端末のＩＰアドレスと、その保存パスとを入力しさらに、この出力先端末にログインする際のログイン名およびパスワードを入力する。そして、設定の完了を意味するエンタボタン（不図示）を押下することで設定内容が反映され、設定が終了することになる。
【００３０】
スキャナ１０では、原稿から画像データの読み取りを行う前に、この出力先設定画面で設定された出力先端末（本実施例においては、コンピュータ２０）にアクセスし、予め設定されたログイン名とパスワードとを用いて認証処理を行う。この認証処理によりログインが正常に行われると、予め設定された保存パスが当該端末上に存在するか否かを確認し、存在する場合には、原稿の読み取りを開始することになる。そして、この読み取られた画像データが、コンピュータ２０の所定のフォルダ等に出力される。
【００３１】
ここで、スキャナ１０の機能的な構成について説明する。
【００３２】
スキャナ１０は、その構成として、スキャン対象の原稿がセットされる給紙トレイ１１と、照明ランプ、レンズ、ＣＣＤ（Charge Coupled Device）等から構成され、給紙トレイ１１にセットされた原稿に対してスキャン処理を行って、画像データをライン単位に読み取る画像読取部１２と、ＲＡＭ（Random Access Memory）等で構成され、読み取られた画像データを一時的に蓄積する読取バッファ１３と、ＣＰＵ（Central Processing Unit）、各種ＡＳＩＣ（Application Specific Integrated Circuit）等から構成され、スキャナ１０を統括制御する制御部１４と、液晶ディスプレイなどの表示用デバイスである表示部１５と、タッチパネルや操作ボタンなどの入力用デバイスである操作部１６と、ネットワークカード等から構成され、スキャナ１０と他装置（コンピュータ２０等）との通信制御をＦＴＰ（File Transfer Protocol）プロトコルやＳＭＢ（Server Message Block）プロトコル等を用いて実現する通信部１７とを具備して構成される。
【００３３】
給紙トレイ１１には、自動給紙フィーダ１１ａが設けられ、複数枚の原稿がセットされた場合にも、この自動給紙フィーダ１１ａが、その原稿を１枚ずつ順次繰り出して、図示しないプラテンガラス上を経由して図示しない排紙トレイへと搬送する。
【００３４】
画像読取部１２は、自動給紙フィーダ１１ａにより、プラテンガラス上を搬送される原稿に対してスキャン処理を行い画像データの読み取りを行う。これを繰り返すことによって、給紙トレイ１１にセットされた原稿を連続的に読み取ることができる。
【００３５】
ここで、図３を用いて、制御部１４の機能的な構成の一部について説明する。
【００３６】
制御部１４は、各種処理機能部として、出力可否判断部５１と、画像読取制御部５２と、異常報知処理部５３と、転送制御部５４とを具備して構成される。
【００３７】
出力可否判断部５１は、出力先端末への画像データの出力が可能であるか否かを判断する機能を有し、認証処理部５１ａと、パス確認部５１ｂとを具備して構成される。
【００３８】
認証処理部５１ａは、予め設定された認証情報（ログイン名、パスワード）を用いて、認証処理を行い、出力先端末へログインする機能を果たす。
【００３９】
また、パス確認部５１ｂは、予め設定された保存パスへの画像データの出力が可能であるか否かを判断する機能を果たす。より具体的には、上記認証処理部５１ａでログインした出力先端末内に、保存パスに設定された領域（例えば、ドライブ、フォルダ）が存在するか否かを確認する。
【００４０】
なお、本実施例では、このパス確認部５１ｂにおいては、予め設定された保存パスが存在するか否かを確認することにより保存パスへの出力が可能であるか否かを判断する場合を説明するが、この保存パスが存在するか否かの確認に加えて、さらに当該保存パスへの画像データの書き込みが許可されているか否かの（アクセス権）判断を行うように構成してもよい。
【００４１】
出力可否判断部５１では、この認証処理部５１ａによる認証結果と、パス確認部５１ｂによる保存パスの確認結果とに基づき出力先端末への画像データの出力が可能であるか否かを判断することになる。
【００４２】
画像読取制御部５２は、自動給紙フィーダ１１ａおよび画像読取部１２の動作制御を行い、原稿の読み取りを制御する機能を有し、転送制御部５４は、この原稿から読み取られた画像データを通信部１７およびネットワーク４０を介して出力先端末へ転送（出力）する機能を有する。
【００４３】
この画像読取制御部５２では、出力可否判断部５１において、出力先端末への画像データの出力が可能であると判断された場合に、原稿の読み取り処理の動作制御を開始する。これは、出力先端末への画像データの出力が可能であることが判明してはじめて、原稿の読取動作が開始されることを意味し、これにより、出力が不可である場合には、原稿の読取動作が開始されない（中止される）ことでユーザが異常に気付き易くなり、出力先端末への画像データの出力が不可である場合の異常をユーザに確実に把握させることができる。
【００４４】
異常報知処理部５３は、表示部１５に異常の旨を表示し、ユーザに異常を報知する機能を有する。なお、このとき同時に、図示せぬスピーカーからアラーム等を鳴動させてもよい。この異常報知処理部５３においては、特に、出力可否判断部５１で出力先端末への画像データの出力が不可であると判断された場合に、異常の旨をユーザに報知する。例えば、認証処理が失敗した場合には、図４に示すように、ポップアップを起動させ、認証が失敗した旨と、認証失敗により原稿の読み取り（読取ジョブ）を中止した旨を表示する。以上が制御部１４の機能的な構成の一部を示す各機能ブロックの説明である。
【００４５】
ここで、図５および図６を用いて、スキャナ１０の動作について説明する。
【００４６】
図５は、原稿の読み取り動作の流れを示すシーケンスチャートである。なお、ここでは、出力先端末（コンピュータ２０）への出力が正常に行われる場合（正常系）の動作について説明する。
【００４７】
ユーザにより、スキャン対象の原稿がセットされ、スタートボタンが押下されると（ステップＳ１０１）、スキャナ１０は、まず、出力先端末となるコンピュータ２０へ認証処理を行う（ステップＳ１０２）。
【００４８】
そして、認証が正常に行われコンピュータ２０へのログインが成功すると、次に、保存パスが有効であるか否かを確認する。すなわち、予め設定された保存パスが存在するか否かの判断を行う（ステップＳ１０３）。
【００４９】
ここで、保存パスが存在し有効であると判断した場合には、読取ジョブが開始され、原稿から画像データの読み取りが行われる（ステップＳ１０４）。そして、この読み取りが完了したところで、コンピュータ２０へ画像データが転送され（ステップＳ１０５）、コンピュータ２０ではこれを保存し、この処理を終了する。
【００５０】
図６は、原稿の読み取り動作の詳細を示すフローチャートである。なお、ここでは、自動給紙フィーダ１１ａを使用して原稿の読み取り処理を行う場合の動作について説明する。
【００５１】
ユーザにより複数枚の原稿が給紙トレイ１１にセットされ（ステップＳ２０１）、画像編集パラメータの設定が行われ（ステップＳ２０２）、スタートボタンが押下されると（ステップＳ２０３）、この処理は開始される。
【００５２】
この処理が開始されると、スキャナ１０は、出力可否判断部５１において、出力先端末への画像データの出力が可能であるか否かを判断する。この判断処理では、まず、認証処理部５１ａにおいて、出力先端末への認証が行われる（ステップＳ２０４）。より具体的には、予め登録されたログイン名とパスワードとを用いて出力先端末へのログインを試みる。
【００５３】
ここで、認証情報が不正あるいは、コンピュータがダウンしていた等の理由により認証処理が失敗した場合には（ステップＳ２０５でＮＯ）、読取ジョブの実行を中止するとともに（ステップＳ２０９）、異常報知処理部５３により、異常の旨を表示部１５に表示するなどしてユーザに異常を報知し（ステップＳ２１０）、この処理を終了するが一方、認証処理が正常に行われ出力先端末へのログインが成功した場合には（ステップＳ２０５でＹＥＳ）、次に、パス確認部５１ｂにおいて、保存パスが有効であるか否かの判断を行う。より具体的には、予め登録された保存パスへアクセスし、当該保存パスが存在するか否かを確認することで、保存パスが有効であるか否かの判断を行うことになる。
【００５４】
この結果、保存先のフォルダ等が存在せずに、保存パスが無効であると判断された場合には（ステップＳ２０６でＮＯ）、読取ジョブの実行を中止するとともに（ステップＳ２０９）、異常報知処理部５３により、異常の旨を表示部１５に表示するなどしてユーザに異常を報知し（ステップＳ２１０）、この処理を終了することになる。
【００５５】
一方で、保存先のフォルダ等が存在し、保存先パスが有効であると判断された場合には（ステップＳ２０６でＹＥＳ）、これを受けた画像読取制御部５２が、自動給紙フィーダ１１ａおよび画像読取部１２の動作制御を開始し、原稿の読み取りが開始される（ステップＳ２０７）。
【００５６】
そして、原稿の読み取りが終了すると、転送制御部５４は、この原稿から読み取られた画像データを通信部１７およびネットワーク４０を介して出力先端末へ転送し（ステップＳ２０８）、この転送が終了したところで、この処理は終了する。
【００５７】
以上説明したように本発明においては、プッシュスキャンモードによる原稿の読み取りに際して、出力先端末への画像データの出力可否を判断し、かかる判断により出力が不可であると判断された場合に、原稿の読取動作を中止するように構成したので、原稿の読取動作が中止することでユーザが異常に気付き易くなり、出力先端末への画像データの出力が不可である場合の異常をユーザに確実に把握させることができる。
【００５８】
これにより、従来、認証等の失敗による異常が発生した場合には、その異常が伝えられるのが原稿の読み取り処理完了後であったために、ジョブが正常に終了したものとユーザが勘違いし易く、誤解を抱かせていたが、これを解消することができる。
【００５９】
なお、上記実施例においては、出力先端末への画像データの出力が可能であるか否かの判断後に、原稿の読取動作を開始する場合を説明したが、この判断処理と、原稿の読取動作とを並行して行い、出力不可と判断された時点で原稿の読取動作を中止させるようにしてもよい。この場合、異常をユーザに確実に把握させるといった本発明の目的が達成できのに加えて、スループットの向上が望める。
【００６０】
また、上記実施例においては、出力先端末（コンピュータ２０）に対して認証処理を実施しているが、ネットワーク上の端末への認証処理を一括管理する認証サーバが設けられたネットワークにおいて、本発明を実施する場合には、この認証サーバに対して認証処理を行うことになる。
【００６１】
また、上記実施例においては、出力先端末がコンピュータ２０である場合を説明したが、これに限られず、一般的なネットワークスキャナの出力先端末になりうるネットワーク装置であれば特に何でもよい。
【００６２】
また、上記実施例においては、認証ならびに保存パスの確認処理を行うことで出力先端末への出力が可能であるか否かを判断する場合を説明したが、いずれか一方の処理のみを実行し出力可否の判断を行うようにしてもよい。これは、出力先となる端末に応じて適宜変更することができる。
【００６３】
また、上記実施例においては、本発明に係わる画像読取装置をスキャナ１０に適用する場合を説明したが、本発明は、画像読取機能を有する複写機、複合機等の画像読取装置全般に適用可能である。
【００６４】
この他、本発明は、上記および図面に示す実施例に限定することなく、その要旨を変更しない範囲内で適宜変形して実施できるものである。
【産業上の利用可能性】
【００６５】
本発明の画像読取装置およびその制御方法は、スキャン動作によって情報（例えば、文書、写真、図面など）を読み取って、画像データに変換する画像読取装置全般に適用可能であり、特に、出力先端末への出力が不可であるにも拘わらず、原稿の読取動作が完了したことにより、ジョブが正常に終了したものとユーザに誤解を抱かせていた不具合を解消できる。
【図面の簡単な説明】
【００６６】
【図１】本発明に係わる画像読取装置（スキャナ）を配して構成されたネットワークシステムの全体構成の一例を示す図である。
【図２】出力先設定画面の画面レイアウトの一例を示す図である。
【図３】図１に示した制御部１４の機能的な構成の一部を示す図である。
【図４】認証処理の失敗を伝える報知画面の画面レイアウトの一例を示す図である。
【図５】図１に示したスキャナ１０における原稿の読み取り動作の流れを示すシーケンスチャートである。
【図６】図１に示したスキャナ１０における原稿の読み取り動作の詳細を示すシーケンスチャートである。
【符号の説明】
【００６７】
１０    スキャナ
１１    給紙トレイ
１１ａ    自動給紙フィーダ
１２    画像読取部
１３    読取バッファ
１４    制御部
１５    表示部
１６    操作部
１７    通信部
２０    コンピュータ
２１    記憶部
３０    ネットワーク装置
４０    ネットワーク
５１    出力可否判断部
５１ａ    認証処理部
５１ｂ    パス確認部
５２    画像読取制御部
５３    異常報知処理部
５４    転送制御部
【図１】
2007150567.tif 000003
【図２】
2007150567.tif 000004
【図３】
2007150567.tif 000005
【図４】
2007150567.tif 000006
【図５】
2007150567.tif 000007
【図６】
2007150567.tif 000008